(57)【要約】【課題】回線を管理するＩＤ体系や、回線固有情報に共通性が無い新旧アクセス網において網を移行した宅内装置を検出する。【解決手段】遠隔設定システム１０は、問合せ送信元の宅内装置５０の状態フラグが「ＮＷ移行中」である場合、アクセス網２を使用するためのファームウェアをダウンロードする。宅内装置５０が再起動してファームウェアを実行し、遠隔設定システム２０へ設定要求を送信すると、遠隔設定システム２０は初期設定データを返送し、さらに受信した設定要求から回線固有情報を取得し、当該回線固有情報に対応したサービスユーザ識別子を付加サービス管理システム４０から読み出して遠隔設定システム１０へ送信する。遠隔設定システム１０は、サービスユーザ識別子に対応した回線固有情報を付加サービス管理システム３０から読み出し、当該回線固有情報に対応した状態フラグに「廃止」を設定する。【選択図】図１
2010010840.tif 000002
【特許請求の範囲】
【請求項１】
第１のネットワークに接続される第１のユーザ管理装置及び第１の付加サービス管理装置と、
第２のネットワークに接続される第２のユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムであって、
前記第１の付加サービス管理装置は、ユーザが使用する回線の第１の回線特定情報と、付加サービスにおいて当該ユーザを特定するサービスユーザ識別情報とを対応付けて記憶し、
前記第２の付加サービス管理装置は、ユーザが使用する回線の第２の回線特定情報と、当該ユーザのサービスユーザ識別情報とを対応付けて記憶しており、
前記第１のユーザ管理装置は、
前記第１のネットワークに接続される回線の第１の回線特定情報を記憶する第１の管理情報記憶手段と、
前記第２のユーザ管理装置から、前記第２のネットワークへ移行したユーザのサービスユーザ識別情報を受信し、当該サービスユーザ識別情報に対応した第１の回線特定情報を前記第１の付加サービス管理装置から読み出す回線特定情報読出手段と、
前記回線特定情報読出手段が読み出した第１の回線特定情報を、前記第１の管理情報記憶手段から削除する回線廃止手段と
を備え、
前記第２のユーザ管理装置は、
前記第２のネットワークに移行したユーザの前記宅内装置より受信した情報に基づいて、当該宅内装置が接続されている回線の第２の回線特定情報を取得し、取得した第２の回線特定情報に対応したサービスユーザ識別情報を前記第２の付加サービス管理装置から読み出すサービスユーザ識別読出手段と、
前記サービスユーザ識別読出手段により読み出したサービスユーザ識別情報を、前記第１のユーザ管理装置に通知する通知手段と
を備える、
ことを特徴とする情報管理システム。
【請求項２】
前記第１の管理情報記憶手段は、さらに、第１の回線特定情報に対応して、回線の状態を示す状態情報を記憶し、
前記回線廃止手段は、前記第１の管理情報記憶手段に、前記回線特定情報読出手段が読み出した第１の回線特定情報に対応する前記状態情報として、回線の廃止を示す情報を格納する、
ことを特徴とする請求項１に記載の情報管理システム。
【請求項３】
前記第１のユーザ管理装置は、
移行対象のユーザの第１の回線特定情報を受信し、前記第１の管理情報記憶手段に、受信した第１の回線特定情報に対応する前記状態情報として、ネットワーク移行中であることを示す情報を格納する移行中状態書込手段と、
前記第１のアクセス網に接続されている移行前の前記宅内装置より受信した情報に基づいて、当該宅内装置が接続されている回線の第１の回線特定情報を取得し、前記第１の管理情報記憶手段内に取得した第１の回線特定情報に対応してネットワーク移行中であることを示す状態情報が格納されている場合に、当該宅内装置に前記第２のネットワークへの接続に使用するデータを配信する配信手段とをさらに備える、
ことを特徴とする請求項２に記載の情報管理システム。
【請求項４】
前記第１の回線特定情報として、前記第１のネットワークにおいて各回線に固有の情報である第１の回線固有情報を用いることを特徴とする請求項１から請求項３のいずれかの項に記載の情報管理システム。
【請求項５】
前記第１の回線特定情報として、前記第１のネットワークにおいて各回線に割り当てられた論理的な識別子である第１の回線識別子を用いることを特徴とする請求項１または請求項２に記載の情報管理システム。
【請求項６】
前記第１の付加サービス管理装置は、前記第１の回線特定情報として、前記第１のネットワークにおいて各回線に割り当てられた論理的な識別子である第１の回線識別子を用い、
前記第１の管理情報記憶手段は、前記第１の回線特定情報として、第１の回線識別子、及び、前記第１のネットワークにおいて各回線に固有の情報である第１の回線固有情報を記憶し、
前記配信手段は、前記第１のアクセス網に接続されている移行前の前記宅内装置より受信した情報から第１の回線固有情報を取得し、前記第１の管理情報記憶手段内に取得した第１の回線固有情報に対応してネットワーク移行中であることを示す状態情報が格納されている場合に、当該宅内装置に前記第２のネットワークへの接続に使用するデータを配信し、
前記回線特定情報読出手段は、前記第２のユーザ管理装置から、前記第２のネットワークへ移行したユーザのサービスユーザ識別情報を受信し、当該サービスユーザ識別情報に対応した第１の回線識別子を前記第１の付加サービス管理装置から読み出し、
前記回線廃止手段は、前記第１の管理情報記憶手段に、前記回線特定情報読出手段が読み出した第１の回線識別子に対応する前記状態情報として、回線の廃止を示す情報を格納する、
ことを特徴とする請求項３に記載の情報管理システム。
【請求項７】
前記第１の回線特定情報は、前記第１のネットワークに接続している前記宅内装置のＩＰｖ６プレフィックスであることを特徴とする請求項４または請求項６に記載の情報管理システム。
【請求項８】
前記第２のユーザ管理装置は、
前記第２のネットワークに移行したユーザの前記宅内装置へ、当該宅内装置が動作するために使用するデータの初期設定情報を配信する設定情報配信手段をさらに備える、
ことを特徴とする請求項１から請求項７のいずれかの項に記載の情報管理システム。
【請求項９】
前記第１の管理情報記憶手段は、さらに、第１の回線特定情報に対応して、宅内装置の設定情報を記憶し、
前記回線廃止手段は、前記回線特定情報読出手段が読み出した第１の回線特定情報に対応する設定情報を前記第１の管理情報記憶手段から読み出して前記第２のユーザ管理装置に送信し、
前記第２のユーザ管理装置は、前記第１のユーザ管理装置から受信した設定情報を前記宅内装置へ配信する設定情報配信手段をさらに備える、
ことを特徴とする請求項１から請求項７のいずれかの項に記載の情報管理システム。
【請求項１０】
前記第２のユーザ管理装置は、前記第１のユーザ管理装置から受信した設定情報を、前記サービスユーザ識別読出手段が取得した第２の回線特定情報に対応させて自身の備える記憶手段に書き込む設定情報引継手段をさらに備える、
ことを特徴とする請求項９に記載の情報管理システム。
【請求項１１】
前記回線廃止手段は、前記第１の管理情報記憶手段から読み出した前記設定情報のデータ形式を、前記第２のユーザ管理装置に用いられるデータ形式に変換して前記第２のユーザ管理装置に送信する、
ことを特徴とする請求項１０に記載の情報管理システム。
【請求項１２】
前記第２の回線特定情報として、前記第２のネットワークにおいて各回線に固有の情報である第２の回線固有情報を用いることを特徴とする請求項１から請求項１１のいずれかの項に記載の情報管理システム。
【請求項１３】
前記第２の付加サービス管理装置は、前記第２の回線特定情報として、前記第２のネットワークにおいて各回線に割り当てられた論理的な識別子である第２の回線識別子を用い、
前記第２のユーザ管理装置は、
第２の回線識別子と、前記第２のネットワークにおいて各回線に固有の情報である第２の回線固有情報とを対応付けて記憶する第２の管理情報記憶手段を備え、
前記サービスユーザ識別読出手段は、前記第２のネットワークに移行したユーザの前記宅内装置より受信した情報から前記第２の回線固有情報を取得し、取得した第２の回線固有情報に対応した第２の回線識別子を前記第２の管理情報記憶手段から読み出し、読み出した第２の回線識別子に対応したサービスユーザ識別情報を前記第２の付加サービス管理装置から読み出す、
ことを特徴とする請求項１から請求項１１のいずれかの項に記載の情報管理システム。
【請求項１４】
前記第２の回線特定情報は、前記第２のネットワークに接続している前記宅内装置のＩＰｖ６プレフィックスであることを特徴とする請求項１３に記載の情報管理システム。
【請求項１５】
第１のネットワークに接続されるユーザ管理装置及び第１の付加サービス管理装置と、
第２のネットワークに接続される他のユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置であって、
前記第１のネットワークに接続される回線の第１の回線特定情報を記憶する管理情報記憶手段と、
前記他のユーザ管理装置より、前記第２のネットワークに移行したユーザの第２の回線特定情報に対応して前記第２の付加サービス装置から読み出した、付加サービスにおいてユーザを特定するサービスユーザ識別情報を受信し、第１の回線特定情報とサービスユーザ識別情報とを対応付けて記憶する前記第１の付加サービス管理装置から、受信したサービスユーザ識別情報に対応した第１の回線特定情報を読み出す回線特定情報読出手段と、
前記回線特定情報読出手段が読み出した第１の回線特定情報を、前記管理情報記憶手段から削除する回線廃止手段と、
を備えることを特徴とするユーザ管理装置。
【請求項１６】
第１のネットワークに接続される他のユーザ管理装置及び第１の付加サービス管理装置と、
第２のネットワークに接続されるユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置であって、
第２のネットワークに移行したユーザの前記宅内装置より受信した情報に基づいて、当該宅内装置が接続されている回線の第２の回線特定情報を取得し、第２の回線特定情報と付加サービスにおいてユーザを特定するサービスユーザ識別情報とを対応付けて記憶する前記第２の付加サービス管理装置から、取得した第２の回線特定情報に対応したサービスユーザ識別情報を読み出すサービスユーザ識別読出手段と、
前記サービスユーザ識別読出手段により読み出したサービスユーザ識別情報を、第１の回線特定情報とサービスユーザ識別情報とを対応付けて記憶する前記第１の付加サービス管理装置と接続され、第１の回線特定情報を記憶する前記他のユーザ管理装置に通知する通知手段と、
を備えることを特徴とするユーザ管理装置。
【請求項１７】
第１のネットワークに接続される第１のユーザ管理装置及び第１の付加サービス管理装置と、
第２のネットワークに接続される第２のユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムに用いられる網移行時の情報管理方法であって、
前記第１の付加サービス管理装置は、ユーザが使用する回線の第１の回線特定情報と、付加サービスにおいて当該ユーザを特定するサービスユーザ識別情報とを対応付けて記憶し、
前記第２の付加サービス管理装置は、ユーザが使用する前記回線の第２の回線特定情報と、当該ユーザの前記サービスユーザ識別情報とを対応付けて記憶し、
前記第１のユーザ管理装置は、前記第１のネットワークに接続される回線の第１の回線特定情報を記憶する管理情報記憶手段を備えており、
前記第２のユーザ管理装置が、
前記第２のネットワークに移行したユーザの前記宅内装置より受信した情報に基づいて、当該宅内装置が接続されている回線の第２の回線特定情報を取得し、取得した第２の回線特定情報に対応したサービスユーザ識別情報を前記第２の付加サービス管理装置から読み出すサービスユーザ識別読出過程と、
前記サービスユーザ識別読出過程において読み出したサービスユーザ識別情報を、前記第１のユーザ管理装置に通知する通知過程と、
前記第１のユーザ管理装置が、
前記第２のユーザ管理装置から、前記第２のネットワークへ移行したユーザのサービスユーザ識別情報を受信し、当該サービスユーザ識別情報に対応した第１の回線特定情報を前記第１の付加サービス管理装置から読み出す回線特定情報読出過程と、
前記回線特定情報読出過程において読み出された第１の回線特定情報を、前記管理情報記憶手段から削除する回線廃止過程と
を有することを特徴とする網移行時の情報管理方法。
【請求項１８】
第１のネットワークに接続されるユーザ管理装置及び第１の付加サービス管理装置と、
第２のネットワークに接続される他のユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置として用いられるコンピュータを、
前記第１のネットワークに接続される回線の第１の回線特定情報を記憶する管理情報記憶手段、
前記他のユーザ管理装置より、前記第２のネットワークに移行したユーザの第２の回線特定情報に対応して前記第２の付加サービス装置から読み出した、付加サービスにおいてユーザを特定するサービスユーザ識別情報を受信し、第１の回線特定情報とサービスユーザ識別情報とを対応付けて記憶する前記第１の付加サービス管理装置から、受信したサービスユーザ識別情報に対応した第１の回線特定情報を読み出す回線特定情報読出手段、
前記回線特定情報読出手段が読み出した第１の回線特定情報を、前記管理情報記憶手段から削除する回線廃止手段、
として機能させることを特徴とするコンピュータプログラム。
【請求項１９】
第１のネットワークに接続される他のユーザ管理装置及び第１の付加サービス管理装置と、
第２のネットワークに接続されるユーザ管理装置及び第２の付加サービス管理装置と、
第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置として用いられるコンピュータを、
第２のネットワークに移行したユーザの前記宅内装置より受信した情報に基づいて、当該宅内装置が接続されている回線の第２の回線特定情報を取得し、第２の回線特定情報と付加サービスにおいてユーザを特定するサービスユーザ識別情報とを対応付けて記憶する前記第２の付加サービス管理装置から、取得した第２の回線特定情報に対応したサービスユーザ識別情報を読み出すサービスユーザ識別読出手段、
前記サービスユーザ識別読出手段により読み出したサービスユーザ識別情報を、第１の回線特定情報とサービスユーザ識別情報とを対応付けて記憶する前記第１の付加サービス管理装置と接続され、第１の回線特定情報を記憶する前記他のユーザ管理装置に通知する通知手段、
として機能させることを特徴とするコンピュータプログラム。
【発明の詳細な説明】
【技術分野】
【０００１】
本発明は、情報管理システム、ユーザ管理装置、網移行時の情報管理方法、及び、コンピュータプログラムに関する。
【背景技術】
【０００２】
ユーザの端末をインターネットに接続するアクセスライン提供サービスを行う電気通信事業において、ネットワーク設備の老朽化等に伴いユーザを、現在収容されているアクセス網（以下、「旧アクセス網」と呼ぶ）から、新規に構築されたアクセス網（以下、「新アクセス網」と呼ぶ）に、電気通信事業者の都合で移行させることがある。
【０００３】
図２３は、従来の遠隔設定システムを用いた網移行について説明するための図である。同図において、新アクセス網、旧アクセス網ともに、ユーザ宅内に設置されたブロードバンドルータ等の装置（以下、「宅内装置」と呼ぶ）に対して、電気通信事業者が遠隔地から設定を行うためのシステム（以下、「遠隔設定システム」と呼ぶ）が設置されている。新アクセス網では、旧アクセス網と異なる網設備やプロトコルスタックを採用することがあり、この場合、旧アクセス網に接続されている宅内装置をそのまま新アクセス網に接続しても動作しない。そこで、宅内装置に対し、旧アクセス網の遠隔設定システムから新アクセス網で動作するために必要なファームウェアをダウンロードさせ、ダウンロードしたファームウェアで再起動することにより、宅内装置は新アクセス網に接続可能となる。
【０００４】
一方、特許文献１には、クライアント端末が無線ＬＡＮに参加した際に割り当てられた識別コードを移行前の網から移行先の網へ通知し、この識別コードを利用して通信の遮断を発生させずにハンドオーバーすることが記載されている。また、特許文献２には、ユーザが一度、プレゼンスサーバにログインして認証を受けると、当該プレゼンスサーバに認証された情報を共有し、ＰＤＡ（Personal Digital Assistants：情報携帯端末）等の通信端末、ＶｏＩＰ（Voice over Internet Protocol）等の通信アプリケーション、ＩＥＥＥ８０２．１１ｂ、ＥＶ−ＤＯ等のネットワークなどを自由に変更できる技術が記載されている。
【特許文献１】特開２００６−２７０６６５号公報
【特許文献２】特開２００７−６８１１９号公報
【発明の開示】
【発明が解決しようとする課題】
【０００５】
図２３に示す従来の技術では、旧アクセス網の遠隔設定システムは、宅内装置の設定情報を、回線識別子をキーとして個別に保存しているが、宅内装置が新アクセス網に接続された後は、旧アクセス網での設定情報は不要となるため、論理的あるいは物理的に無効化する。しかし、新アクセス網と旧アクセス網では設定情報を管理するＩＤ体系や、ＩＰアドレスなどの回線に固有の情報（以下、「回線固有情報」と呼ぶ）が異なる。よって、新アクセス網の遠隔設定システムでは、新たに網に接続された宅内装置の存在は検知できるものの、新アクセス網においても、旧アクセス網においても、新たに新アクセス網に接続された当該宅内装置が旧アクセス網のどの回線に接続されていたものかを対応付けることができない。
【０００６】
このように、従来の遠隔設定システムを用いた網移行では、旧アクセス網と新アクセス網で回線を管理するＩＤ体系が異なっていることに加え、新アクセス網用のファームウェアを用いて工場出荷状態で再起動した宅内装置は新アクセス網の回線識別子を通知できない。このことから、現状では、新アクセス網での宅内装置の接続有無に関係なく、一定期間経過後に旧アクセス網の設定情報を削除している。そのため、両網において回線が有効となっている場合があり、その場合には、両網の回線に対して課金されてしまう。そこで、新アクセス網に接続後に旧アクセス網の課金の情報を手動で取り消しているが、これは、時間的がかかってしまうとともに、人的リソースも必要となり、また、操作ミスなどにより取り消しが正常に行なわれない原因ともなる。あるいは、新アクセス網に移行していないうちに旧アクセス網における設定情報が削除されてしまうおそれもある。
しかし、各端末に網間で共通の情報を使用する特許文献１、特許文献２の技術をそのまま適用して、上述する問題を解決することはできない。
【０００７】
本発明は、このような事情を考慮してなされたもので、その目的は、回線を管理するＩＤ体系や、回線固有情報に共通性が無い新アクセス網と旧アクセス網において、網を移行した宅内装置を検出することができる情報管理システム、ユーザ管理装置、網移行時の情報管理方法、及び、コンピュータプログラムを提供することにある。
【課題を解決するための手段】
【０００８】
前記課題を解決するために、本発明は、第１のネットワークに接続される第１のユーザ管理装置及び第１の付加サービス管理装置と、第２のネットワークに接続される第２のユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムであって、前記第１の付加サービス管理装置は、ユーザが使用する回線の第１の回線特定情報と、付加サービスにおいて当該ユーザを特定するサービスユーザ識別情報とを対応付けて記憶し、前記第２の付加サービス管理装置は、ユーザが使用する回線の第２の回線特定情報と、当該ユーザのサービスユーザ識別情報とを対応付けて記憶しており、前記第１のユーザ管理装置は、前記第１のネットワークに接続される回線の第１の回線特定情報を記憶する第１の管理情報記憶手段と、前記第２のユーザ管理装置から、前記第２のネットワークへ移行したユーザのサービスユーザ識別情報を受信し、当該サービスユーザ識別情報に対応した第１の回線特定情報を前記第１の付加サービス管理装置から読み出す回線特定情報読出手段と、前記回線特定情報読出手段が読み出した第１の回線特定情報を、前記第１の管理情報記憶手段から削除する回線廃止手段とを備え、前記第２のユーザ管理装置は、前記第２のネットワークに移行したユーザの前記宅内装置より受信した情報に基づいて、当該宅内装置が接続されている回線の第２の回線特定情報を取得し、取得した第２の回線特定情報に対応したサービスユーザ識別情報を前記第２の付加サービス管理装置から読み出すサービスユーザ識別読出手段と、前記サービスユーザ識別読出手段により読み出したサービスユーザ識別情報を、前記第１のユーザ管理装置に通知する通知手段とを備える、ことを特徴とする情報管理システムである。
【０００９】
また、本発明は、上述する情報管理システムであって、前記第１の管理情報記憶手段は、さらに、第１の回線特定情報に対応して、回線の状態を示す状態情報を記憶し、前記回線廃止手段は、前記第１の管理情報記憶手段に、前記回線特定情報読出手段が読み出した第１の回線特定情報に対応する前記状態情報として、回線の廃止を示す情報を格納する、ことを特徴とする。
【００１０】
また、本発明は、上述する情報管理システムであって、前記第１のユーザ管理装置は、移行対象のユーザの第１の回線特定情報を受信し、前記第１の管理情報記憶手段に、受信した第１の回線特定情報に対応する前記状態情報として、ネットワーク移行中であることを示す情報を格納する移行中状態書込手段と、前記第１のアクセス網に接続されている移行前の前記宅内装置より受信した情報に基づいて、当該宅内装置が接続されている回線の第１の回線特定情報を取得し、前記第１の管理情報記憶手段内に取得した第１の回線特定情報に対応してネットワーク移行中であることを示す状態情報が格納されている場合に、当該宅内装置に前記第２のネットワークへの接続に使用するデータを配信する配信手段とをさらに備える、ことを特徴とする。
【００１１】
また、本発明は、上述する情報管理システムであって、前記第１の回線特定情報として、前記第１のネットワークにおいて各回線に固有の情報である第１の回線固有情報を用いることを特徴とする。
【００１２】
また、本発明は、上述する情報管理システムであって、前記第１の回線特定情報として、前記第１のネットワークにおいて各回線に割り当てられた論理的な識別子である第１の回線識別子を用いることを特徴とする。
【００１３】
また、本発明は、上述する情報管理システムであって、前記第１の付加サービス管理装置は、前記第１の回線特定情報として、前記第１のネットワークにおいて各回線に割り当てられた論理的な識別子である第１の回線識別子を用い、前記第１の管理情報記憶手段は、前記第１の回線特定情報として、第１の回線識別子、及び、前記第１のネットワークにおいて各回線に固有の情報である第１の回線固有情報を記憶し、前記配信手段は、前記第１のアクセス網に接続されている移行前の前記宅内装置より受信した情報から第１の回線固有情報を取得し、前記第１の管理情報記憶手段内に取得した第１の回線固有情報に対応してネットワーク移行中であることを示す状態情報が格納されている場合に、当該宅内装置に前記第２のネットワークへの接続に使用するデータを配信し、前記回線特定情報読出手段は、前記第２のユーザ管理装置から、前記第２のネットワークへ移行したユーザのサービスユーザ識別情報を受信し、当該サービスユーザ識別情報に対応した第１の回線識別子を前記第１の付加サービス管理装置から読み出し、前記回線廃止手段は、前記第１の管理情報記憶手段に、前記回線特定情報読出手段が読み出した第１の回線識別子に対応する前記状態情報として、回線の廃止を示す情報を格納する、ことを特徴とする。
【００１４】
また、本発明は、上述する情報管理システムであって、前記第１の回線特定情報は、前記第１のネットワークに接続している前記宅内装置のＩＰｖ６プレフィックスであることを特徴とする。
【００１５】
また、本発明は、上述する情報管理システムであって、前記第２のユーザ管理装置は、前記第２のネットワークに移行したユーザの前記宅内装置へ、当該宅内装置が動作するために使用するデータの初期設定情報を配信する設定情報配信手段をさらに備える、ことを特徴とする。
【００１６】
また、本発明は、上述する情報管理システムであって、前記第１の管理情報記憶手段は、さらに、第１の回線特定情報に対応して、宅内装置の設定情報を記憶し、前記回線廃止手段は、前記回線特定情報読出手段が読み出した第１の回線特定情報に対応する設定情報を前記第１の管理情報記憶手段から読み出して前記第２のユーザ管理装置に送信し、前記第２のユーザ管理装置は、前記第１のユーザ管理装置から受信した設定情報を前記宅内装置へ配信する設定情報配信手段をさらに備える、ことを特徴とする
【００１７】
また、本発明は、上述する情報管理システムであって、前記第２のユーザ管理装置は、前記第１のユーザ管理装置から受信した設定情報を、前記サービスユーザ識別読出手段が取得した第２の回線特定情報に対応させて自身の備える記憶手段に書き込む設定情報引継手段をさらに備える、ことを特徴とする。
【００１８】
また、本発明は、上述する情報管理システムであって、前記回線廃止手段は、前記第１の管理情報記憶手段から読み出した前記設定情報のデータ形式を、前記第２のユーザ管理装置に用いられるデータ形式に変換して前記第２のユーザ管理装置に送信する、ことを特徴とする。
【００１９】
また、本発明は、上述する情報管理システムであって、前記第２の回線特定情報として、前記第２のネットワークにおいて各回線に固有の情報である第２の回線固有情報を用いることを特徴とする。
【００２０】
また、本発明は、上述する情報管理システムであって、前記第２の付加サービス管理装置は、前記第２の回線特定情報として、前記第２のネットワークにおいて各回線に割り当てられた論理的な識別子である第２の回線識別子を用い、前記第２のユーザ管理装置は、第２の回線識別子と、前記第２のネットワークにおいて各回線に固有の情報である第２の回線固有情報とを対応付けて記憶する第２の管理情報記憶手段を備え、前記サービスユーザ識別読出手段は、前記第２のネットワークに移行したユーザの前記宅内装置より受信した情報から前記第２の回線固有情報を取得し、取得した第２の回線固有情報に対応した第２の回線識別子を前記第２の管理情報記憶手段から読み出し、読み出した第２の回線識別子に対応したサービスユーザ識別情報を前記第２の付加サービス管理装置から読み出す、ことを特徴とする。
【００２１】
また、本発明は、上述する情報管理システムであって、前記第２の回線特定情報は、前記第２のネットワークに接続している前記宅内装置のＩＰｖ６プレフィックスであることを特徴とする。
【００２２】
また、本発明は、第１のネットワークに接続されるユーザ管理装置及び第１の付加サービス管理装置と、第２のネットワークに接続される他のユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置であって、前記第１のネットワークに接続される回線の第１の回線特定情報を記憶する管理情報記憶手段と、前記他のユーザ管理装置より、前記第２のネットワークに移行したユーザの第２の回線特定情報に対応して前記第２の付加サービス装置から読み出した、付加サービスにおいてユーザを特定するサービスユーザ識別情報を受信し、第１の回線特定情報とサービスユーザ識別情報とを対応付けて記憶する前記第１の付加サービス管理装置から、受信したサービスユーザ識別情報に対応した第１の回線特定情報を読み出す回線特定情報読出手段と、前記回線特定情報読出手段が読み出した第１の回線特定情報を、前記管理情報記憶手段から削除する回線廃止手段と、を備えることを特徴とするユーザ管理装置である。
【００２３】
また、本発明は、第１のネットワークに接続される他のユーザ管理装置及び第１の付加サービス管理装置と、第２のネットワークに接続されるユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置であって、第２のネットワークに移行したユーザの前記宅内装置より受信した情報に基づいて、当該宅内装置が接続されている回線の第２の回線特定情報を取得し、第２の回線特定情報と付加サービスにおいてユーザを特定するサービスユーザ識別情報とを対応付けて記憶する前記第２の付加サービス管理装置から、取得した第２の回線特定情報に対応したサービスユーザ識別情報を読み出すサービスユーザ識別読出手段と、前記サービスユーザ識別読出手段により読み出したサービスユーザ識別情報を、第１の回線特定情報とサービスユーザ識別情報とを対応付けて記憶する前記第１の付加サービス管理装置と接続され、第１の回線特定情報を記憶する前記他のユーザ管理装置に通知する通知手段と、を備えることを特徴とするユーザ管理装置である。
【００２４】
また、本発明は、第１のネットワークに接続される第１のユーザ管理装置及び第１の付加サービス管理装置と、第２のネットワークに接続される第２のユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムに用いられる網移行時の情報管理方法であって、前記第１の付加サービス管理装置は、ユーザが使用する回線の第１の回線特定情報と、付加サービスにおいて当該ユーザを特定するサービスユーザ識別情報とを対応付けて記憶し、前記第２の付加サービス管理装置は、ユーザが使用する前記回線の第２の回線特定情報と、当該ユーザの前記サービスユーザ識別情報とを対応付けて記憶し、前記第１のユーザ管理装置は、前記第１のネットワークに接続される回線の第１の回線特定情報を記憶する管理情報記憶手段を備えており、前記第２のユーザ管理装置が、前記第２のネットワークに移行したユーザの前記宅内装置より受信した情報に基づいて、当該宅内装置が接続されている回線の第２の回線特定情報を取得し、取得した第２の回線特定情報に対応したサービスユーザ識別情報を前記第２の付加サービス管理装置から読み出すサービスユーザ識別読出過程と、前記サービスユーザ識別読出過程において読み出したサービスユーザ識別情報を、前記第１のユーザ管理装置に通知する通知過程と、前記第１のユーザ管理装置が、前記第２のユーザ管理装置から、前記第２のネットワークへ移行したユーザのサービスユーザ識別情報を受信し、当該サービスユーザ識別情報に対応した第１の回線特定情報を前記第１の付加サービス管理装置から読み出す回線特定情報読出過程と、前記回線特定情報読出過程において読み出された第１の回線特定情報を、前記管理情報記憶手段から削除する回線廃止過程とを有することを特徴とする網移行時の情報管理方法である。
【００２５】
また、本発明は、第１のネットワークに接続されるユーザ管理装置及び第１の付加サービス管理装置と、第２のネットワークに接続される他のユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置として用いられるコンピュータを、前記第１のネットワークに接続される回線の第１の回線特定情報を記憶する管理情報記憶手段、前記他のユーザ管理装置より、前記第２のネットワークに移行したユーザの第２の回線特定情報に対応して前記第２の付加サービス装置から読み出した、付加サービスにおいてユーザを特定するサービスユーザ識別情報を受信し、第１の回線特定情報とサービスユーザ識別情報とを対応付けて記憶する前記第１の付加サービス管理装置から、受信したサービスユーザ識別情報に対応した第１の回線特定情報を読み出す回線特定情報読出手段、前記回線特定情報読出手段が読み出した第１の回線特定情報を、前記管理情報記憶手段から削除する回線廃止手段、として機能させることを特徴とするコンピュータプログラムである。
【００２６】
また、本発明は、第１のネットワークに接続される他のユーザ管理装置及び第１の付加サービス管理装置と、第２のネットワークに接続されるユーザ管理装置及び第２の付加サービス管理装置と、第１のネットワークから第２のネットワークへ移行するユーザの宅内装置とからなり、前記第１のネットワークにおいて回線を特定する第１の回線特定情報と、前記第２のネットワークにおいて回線を特定する第２の回線特定情報とが異なる情報管理システムにおける前記ユーザ管理装置として用いられるコンピュータを、第２のネットワークに移行したユーザの前記宅内装置より受信した情報に基づいて、当該宅内装置が接続されている回線の第２の回線特定情報を取得し、第２の回線特定情報と付加サービスにおいてユーザを特定するサービスユーザ識別情報とを対応付けて記憶する前記第２の付加サービス管理装置から、取得した第２の回線特定情報に対応したサービスユーザ識別情報を読み出すサービスユーザ識別読出手段、前記サービスユーザ識別読出手段により読み出したサービスユーザ識別情報を、第１の回線特定情報とサービスユーザ識別情報とを対応付けて記憶する前記第１の付加サービス管理装置と接続され、第１の回線特定情報を記憶する前記他のユーザ管理装置に通知する通知手段、として機能させることを特徴とするコンピュータプログラムである。
【発明の効果】
【００２７】
本発明によれば、移行先となる新ネットワークのユーザ管理装置は、新ネットワークに移行した宅内装置が接続されている新回線の回線特定情報をキーにして、新ネットワークの付加サービス管理装置から新旧両方のネットワークに共通の付加サービスのサービスユーザ識別情報を取得し、移行前の旧ネットワークのユーザ管理装置に通知する。そして、旧ネットワークのユーザ管理装置において、新ネットワークから受信したサービスユーザ識別情報をキーにして、旧ネットワークの付加サービス管理装置から旧回線の回線特定情報を取得し、この回線特定情報により特定される移行前の回線を無効化することができる。よって、新旧のネットワークに存在するユーザ管理装置において、両ネットワークの回線特定情報の対応付けがされていない場合にも、網を移行した宅内装置を検出し、旧ネットワーク側の回線を廃止することができる。
また、旧ネットワークにおいて宅内装置に設定されていた情報を、新ネットワークに引き継ぐことが可能となる。
また、指定された回線を使用しているユーザにのみ、網移行を行なわせることが可能となる。
【発明を実施するための最良の形態】
【００２８】
以下、図面を用いて本発明の実施形態について詳細に説明する。
【００２９】
［１．第１の実施形態］
図１は、本発明の第１の実施形態による情報管理システムのブロック図である。
ユーザは、電気通信事業者によるアクセスライン提供サービスを享受しており、当該ユーザを現在収容している旧アクセス網であるアクセス網１には、ユーザ宅内に設置されたブロードバンドルータ等の装置である宅内装置５０と、遠隔設定システム１０と、付加サービス管理システム３０とが接続されている。遠隔設定システム１０は、アクセス網１によるアクセスライン提供サービスを提供しているユーザに関する情報として宅内装置５０の設定情報を管理しており、電気通信事業者は、当該遠隔設定システム１０により遠隔地から、アクセス網１において使用する各種設定を宅内装置５０へ行う。付加サービス管理システム３０は、アクセス網１においてユーザへ提供する付加サービスの情報を管理する。
【００３０】
また、ユーザの移行先となるアクセス網、つまり、新アクセス網であるアクセス網２には、遠隔設定システム２０と付加サービス管理システム４０とが接続されている。遠隔設定システム２０は、アクセス網２によるアクセスライン提供サービスを提供しているユーザに関する情報として宅内装置５０の設定情報を管理しており、電気通信事業者は遠隔地から、当該遠隔設定システム２０により、アクセス網２において使用する各種設定を宅内装置５０へ行う。付加サービス管理システム４０は、アクセス網２においてユーザへ提供する付加サービスの情報を管理する。遠隔設定システム１０と遠隔設定システム２０は、専用の回線又は網を介して通信が可能である。
【００３１】
旧アクセス網と新アクセス網とでは、加入者回線（以下、単に「回線」とも記載）を識別するための論理的な識別子である回線識別子の付与体系が異なり、宅内装置５０に使用されるＩＰアドレスも異なる。そこで、遠隔設定システム１０から、新アクセス網へ接続するためのファームウェアを宅内装置５０へダウンロードして再起動させることにより、宅内装置５０から新アクセス網への接続を可能とし、新アクセス網の動作に必要な情報を宅内装置５０に設定して網移行を行なわせる。
【００３２】
遠隔設定システム１０は、１または複数のサーバ等で構成することができ、通信部１１、管理データベース（ＤＢ）１２、サービスオーダ受付部１３、データ管理部１４、及び、宅内装置インタフェース部１５を備える。
通信部１１は、他の装置との間でデータの送受信を行なう。管理ＤＢ１２は、旧アクセス網における宅内装置５０の設定情報が設定された管理テーブル等の各種データを保持する。サービスオーダ受付部１３は、当該遠隔設定システム１０の備える入力手段や、当該遠隔設定システム１０に接続される上位システム等からサービスオーダの入力を受ける。データ管理部１４は、管理ＤＢ１２内のデータの読み出しや書き込みを行なう。宅内装置インタフェース部１５は、宅内装置５０との間のインタフェースを実現し、宅内装置５０へ設定情報や、新アクセス網用のファームウェアを送信する。
【００３３】
遠隔設定システム２０は、１または複数のサーバ等で構成することができ、通信部２１、管理ＤＢ２２、サービスオーダ受付部２３、データ管理部２４、及び、宅内装置インタフェース部２５を備える。
通信部２１は、他の装置との間でデータの送受信を行なう。管理ＤＢ２２は、新アクセス網における宅内装置５０の設定情報が設定された管理テーブル等の各種データを保持する。サービスオーダ受付部２３は、当該遠隔設定システム２０の備える入力手段や、当該遠隔設定システム２０に接続される上位システム等からサービスオーダの入力を受ける。データ管理部２４は、管理ＤＢ２２内の情報の読み出しや書き込みを行なう。宅内装置インタフェース部２５は、宅内装置５０との間のインタフェースを実現し、宅内装置５０へ設定情報を送信する。
【００３４】
付加サービス管理システム３０は、１または複数のサーバ等で構成することができ、通信部３１、付加サービスＤＢ３２、付加サービスデータ管理部３３を備える。
通信部３１は、他の装置との間でデータの送受信を行なう。付加サービスＤＢ３２は、旧アクセス網においてユーザへ提供する付加サービスに関するデータを保持する。付加サービスデータ管理部３３は、付加サービスＤＢ３２内のデータの読み出しや書き込みを行なう。
【００３５】
付加サービス管理システム４０は、１または複数のサーバ等で構成することができ、通信部４１、付加サービスＤＢ４２、付加サービスデータ管理部４３を備える。
通信部４１は、他の装置との間でデータの送受信を行なう。付加サービスＤＢ４２は、新アクセス網においてユーザへ提供する付加サービスに関するデータを保持する。付加サービスデータ管理部４３は、付加サービスＤＢ４２内のデータの読み出しや書き込みを行なう。
【００３６】
図２は、遠隔設定システム１０の管理ＤＢ１２に保持される管理テーブルの例を示す図であり、図３は、遠隔設定システム２０の管理ＤＢ２２に保持される管理テーブルの例を示す図である。
旧アクセス網に使用される管理テーブル（図２）、新アクセス網に使用される管理テーブル（図３）とも、回線識別子、回線固有情報、状態フラグ、及び、設定情報のカラムから構成されるレコードからなる。回線識別子（回線ＩＤ）は、加入者回線を一意に識別する論理的な識別子である。回線固有情報は、加入者回線に固有情報を示し、１以上設定されうる。ここでは簡単のため、回線固有情報として１項目のみを扱うものとし、加入者回線に割り当てられるＩＰｖ６プレフィックスを格納するものとする。状態フラグは、加入者回線が有効である、廃止された、あるいは、旧アクセス網から新アクセス網への移行中である、などの回線の状態を示す。設定情報は、宅内装置５０の設定情報を示し、１以上設定されうる。ここでは簡単のため、設定情報として１項目のみを扱うこととし、ＤＨＣＰ（Dynamic Host Configuration Protocol）サーバ機能を使用するか否かの情報を格納するものとする。
【００３７】
上記のように、旧アクセス網に使用される管理テーブル（図２）と、新アクセス網に使用される管理テーブル（図３）とでは、管理テーブル内のデータ項目は同様であるが、回線識別子に使用される識別子の付与体系が異なっており、また、同一の宅内装置５０であっても使用するＩＰアドレスが異なるため、回線固有情報の設定値も異なっている。加えて、設定情報も、データの記述形式が異なっている。
【００３８】
図４は、付加サービス管理システム３０の付加サービスＤＢ３２に保持される付加サービス管理テーブルの例を示す図であり、図５は、付加サービス管理システム４０の付加サービスＤＢ４２に保持される付加サービス管理テーブルの例を示す図である。
旧アクセス網に使用される付加サービス管理テーブル（図４）、新アクセス網に使用される付加サービス管理テーブル（図５）とも、回線固有情報及びサービスユーザ識別子のカラムから構成されるレコードからなる。ここでは、サービスユーザ識別子として、ＩＰ電話の電話番号を格納するものとする。
旧アクセス網と、新アクセス網とでは、同一の宅内装置５０であっても使用するＩＰアドレスが異なるため、旧アクセス網に使用される付加サービス管理テーブル（図４）と、新アクセス網に使用される付加サービス管理テーブル（図５）とでは、回線固有情報の設定値が異なっているが、ＩＰ電話の電話番号は変更されないため、同一の電話番号が設定される。
【００３９】
次に、図１に示す情報管理システムの動作について説明する。
図６は、図１に示す情報管理システムのシーケンス図である。
まず、移行対象のユーザがアクセス網２へ接続するためのレコードが遠隔設定システム２０の管理テーブルに、当該ユーザの新アクセス網における付加サービスに関するレコードが付加サービス管理システム４０の付加サービス管理テーブルに登録される。その後、図６に示すように、旧アクセス網の遠隔設定システム１０は、上位システムから変更回線の情報、すなわち、新アクセス網への移行対象であるユーザの回線識別子の通知を受ける（ステップＳ１０５）。
【００４０】
アクセス網１用のファームウェアを使用している宅内装置５０は、最新ファームウェアがあるかを定期的に遠隔設定システム１０へ問合せており（ステップＳ１１０）、遠隔設定システム１０は、問合せの送信元が、ステップＳ１０５において受信した変更回線を使用した宅内装置５０であるか否かを判断する（ステップＳ１１５）。送信元が変更回線を使用した宅内装置５０ではない場合（ステップＳ１１５：ＮＯ）、旧アクセス網用の最新の設定情報等を宅内装置５０に返送する通常処理を行うか、そのまま処理を終了する（ステップＳ１２０）。
【００４１】
一方、送信元が変更回線を使用した宅内装置５０である場合（ステップＳ１１５：ＹＥＳ）、遠隔設定システム１０は、アクセス網２で使用するためのファームウェアを宅内装置５０へダウンロードする（ステップＳ１２５）。宅内装置５０は、受信したファームウェアをメモリに保持し、旧アクセス網との接続を切断する（ステップＳ１３０）。その後、宅内装置５０の回線をアクセス網２と接続されるルータ等につなぎかえ、再起動する。これにより、宅内装置５０では、アクセス網２用のファームウェアが動作してアクセス網２へ接続するとともに（ステップＳ１３５）、遠隔設定システム２０へ設定要求を送信する（ステップＳ１４０）。
【００４２】
遠隔設定システム２０は、宅内装置５０から設定要求を受信すると、所定の初期設定データを返送する（ステップＳ１４５）。宅内装置５０は、受信した初期設定データをメモリに保持し、アクセス網２用のファームウェアはこの初期設定データを用いて動作する。さらに、遠隔設定システム２０は、ステップＳ１４０において受信した設定要求に設定されている情報から宅内装置５０の回線固有情報を取得すると、当該回線固有情報を付加サービス管理システム４０へ送信する（ステップＳ１５０）。付加サービス管理システム４０は、受信した回線固有情報に対応したサービスユーザ識別子を検索して（ステップＳ１５５）、遠隔設定システム２０へ返送する（ステップＳ１６０）。
【００４３】
遠隔設定システム２０は、受信したサービスユーザ識別子を遠隔設定システム１０へ送信し（ステップＳ１６５）、さらに、遠隔設定システム１０は当該サービスユーザ識別子を付加サービス管理システム３０へ送信する（ステップＳ１７０）。付加サービス管理システム３０は、受信したサービスユーザ識別子に対応した回線固有情報を検索して（ステップＳ１７５）、遠隔設定システム１０へ返送する（ステップＳ１８０）。遠隔設定システム１０は、受信した回線固有情報をキーにして管理テーブルを検索し（ステップＳ１８５）、該当したレコードの状態フラグに「廃止」を示す情報を設定する（ステップＳ１９０）。
【００４４】
図７は、図６のシーケンス図により示される動作の詳細なフローを示す図である。
同図において、遠隔設定システム１０のサービスオーダ受付部１３は、上位システムから、任意の回線識別子を持つ回線に対する新アクセス網への移転通知を受信したかを判断する（ステップＳ２０５）。サービスオーダ受付部１３が移転通知を受信したと判断した場合（ステップＳ２０５：ＹＥＳ）、データ管理部１４は、当該移転通知に設定されている回線識別子を取得し、取得した回線識別子をキーにして管理ＤＢ１２内の管理テーブルを検索する（ステップＳ２１０）。データ管理部１４は、検索の結果特定された管理テーブルのレコード内の状態フラグに、「アクセス網移転中」を示す情報を書き込む（ステップＳ２１５）。
【００４５】
次に、遠隔設定システム１０の宅内装置インタフェース部１５は、遠隔設定対象の宅内装置５０からファームウェア（ＦＷ）更新の問合せを受信したか否かを判断する（ステップＳ２２０）。宅内装置インタフェース部１５がファームウェア更新の問合せを受信した場合（ステップＳ２２０：ＹＥＳ）、データ管理部１４は、この受信した問合せに、送信元ＩＰアドレスとして設定されている宅内装置５０のＩＰアドレスから、回線固有情報、すなわち、ＩＰｖ６プレフィックスを取得する。データ管理部１４は、取得した回線固有情報をキーにして、管理ＤＢ１２内の管理テーブルを検索し、検索の結果特定された管理テーブルのレコードから状態フラグを取得する（ステップＳ２２５）。取得した状態フラグが「アクセス網移転中」ではない場合（ステップＳ２３０：ＮＯ）、宅内装置インタフェース部１５は、旧アクセス網用の最新の設定情報等のファームウェアを宅内装置５０に返送するなどの通常処理を行い（ステップＳ２３５）、処理を終了する。
【００４６】
一方、取得した状態フラグが「アクセス網移転中」を示している場合（ステップＳ２３０：ＹＥＳ）、宅内装置インタフェース部１５は、アクセス網２に接続するためのファームウェアを管理ＤＢ１２から読み出して宅内装置５０に返送する（ステップＳ２４０）。宅内装置５０は、ダウンロードしたアクセス網２用のファームウェアをメモリ等に記憶しておき、アクセス網１との接続を継続する必要がなくなると、アクセス網１との接続を切断する（ステップＳ２４５）。
【００４７】
その後、宅内装置５０をアクセス網２と接続されるルータ等につなぎかえ、再起動する。これにより、宅内装置５０では、アクセス網２用のファームウェアが動作する。当該ファームウェアには、アクセス網２のＤＨＣＰサーバのＩＰアドレス、ＤＮＳ（Domain Name System）サーバのＩＰアドレス、及び、遠隔設定システム２０のウェブアドレスの情報が組み込まれている。宅内装置５０は、まず、ＤＨＣＰサーバにアクセスして自身が使用するＩＰｖ６アドレスを取得し、続いて、ＤＮＳサーバへ遠隔設定システム２０のウェブアドレスを送信して、遠隔設定システム２０のＩＰアドレスを取得する。宅内装置５０は、自身のＩＰアドレスを送信元に、遠隔設定システム２０のＩＰアドレスを宛先に設定した設定要求を送信する（ステップＳ２５０）。
【００４８】
遠隔設定システム２０の宅内装置インタフェース部２５は、宅内装置５０から設定要求を受信すると、管理ＤＢ２２に保持していた初期設定データを読み出して返送する。宅内装置５０は、受信した初期設定データをメモリに保持し、アクセス網２用のファームウェアはこの初期設定データを用いて動作する。さらに、遠隔設定システム２０のデータ管理部２４は、ステップＳ２５０において受信した設定要求から宅内装置５０の回線固有情報を取得し、当該回線固有情報に対応付けられたサービスユーザ識別子を要求するための検索要求を付加サービス管理システム４０へ送信する（ステップＳ２５５）。回線固有情報は、例えば、送信元ＩＰアドレスとして設定されている宅内装置５０のＩＰアドレスのＩＰｖ６プレフィックスである。付加サービス管理システム４０の付加サービスデータ管理部４３は、検索要求に設定されている回線固有情報をキーにして、付加サービスＤＢ４２内の付加サービス管理テーブルを検索し、該当したレコードからサービスユーザ識別子を読み出して遠隔設定システム２０へ返送する。遠隔設定システム２０のデータ管理部２４は、付加サービス管理システム４０からサービスユーザ識別子を受信すると、当該サービスユーザ識別子を遠隔設定システム１０へ通知する（ステップＳ２６０）。
【００４９】
遠隔設定システム１０のデータ管理部１４は、受信したサービスユーザ識別子に対応付けられた回線固有情報を要求するための検索要求を付加サービス管理システム３０へ送信する（ステップＳ２６５）。付加サービス管理システム３０の付加サービスデータ管理部３３は、検索要求に設定されているサービスユーザ識別子をキーにして、付加サービスＤＢ３２内の付加サービス管理テーブルを検索し、該当したレコードから回線固有情報を読み出して遠隔設定システム１０へ返送する（ステップＳ２７０）。遠隔設定システム１０のデータ管理部１４は、受信した回線固有情報をキーにして管理ＤＢ１２内の管理テーブルを検索し、該当したレコードの状態フラグに「廃止」を示す情報を設定し、論理的に削除する（ステップＳ２７５）。なお、該当レコードを削除し、物理的に無効化するようにしてもよい。
【００５０】
上記のように、本実施形態では、旧アクセス網の遠隔設定システムにおいて指定された旧アクセス網の回線の宅内装置に対して、新アクセス網用のファームウェアをダウンロードし、新アクセス網の遠隔設定システムにおいて宅内装置が接続された回線の回線固有情報から、新旧両方のアクセス網に共通の付加サービスのサービスユーザ識別子を取得し、旧アクセス網の遠隔設定システムに送信する。そして、旧アクセス網において、新アクセス網から受信したサービスユーザ識別子に対応付けられた回線固有情報を取得し、回線固有情報により特定される移行前の回線を無効化する。
このように、新旧のアクセス網に存在する宅内装置の遠隔設定システムにおいて、両網の回線識別子の対応付けがされていない場合にも、旧アクセス網において新アクセス網に宅内装置が接続されたことを検知することが可能となる。
【００５１】
［２．第２の実施形態］
本発明の第２の実施形態を説明する。上述した第１の実施形態では、遠隔設定システム２０は、新アクセス網に接続された宅内装置５０から設定要求を受信したときに、初期設定データを返送しているが、第２の実施形態では、旧アクセス網において使用していた設定情報を返送する。
【００５２】
以下、第２の実施形態の処理について、第１の実施形態との差分を説明する。第２の実施形態の情報管理システムの構成、遠隔設定システム１０の管理ＤＢ１２に保持される管理テーブル、遠隔設定システム２０の管理ＤＢ２２に保持される管理テーブル、付加サービス管理システム３０の付加サービスＤＢ３２に保持される付加サービス管理テーブル、付加サービス管理システム４０の付加サービスＤＢ４２に保持される付加サービス管理テーブルは、第１の実施形態の図１〜図５と同様である。
【００５３】
図８は、第２の実施形態による情報管理システムのシーケンス図であり、ステップＳ１０５〜ステップＳ１４０までの動作は、図６と同様である。
遠隔設定システム２０は、ステップＳ１４０において宅内装置５０から設定要求を受信すると、当該設定要求から宅内装置５０の回線固有情報を取得し、当該回線固有情報を付加サービス管理システム４０へ送信する（ステップＳ３０５）。付加サービス管理システム４０は、受信した回線固有情報に対応したサービスユーザ識別子を検索して（ステップＳ３１０）、遠隔設定システム２０へ返送する（ステップＳ３１５）。
【００５４】
遠隔設定システム２０は、受信したサービスユーザ識別子を遠隔設定システム１０へ送信し（ステップＳ３２０）、さらに、遠隔設定システム１０は当該サービスユーザ識別子を付加サービス管理システム３０へ送信する（ステップＳ３２５）。付加サービス管理システム３０は、受信したサービスユーザ識別子に対応した回線固有情報を検索して（ステップＳ３３０）、遠隔設定システム１０へ返送する（ステップＳ３３５）。遠隔設定システム１０は、受信した回線固有情報をキーにして管理テーブルを検索し（ステップＳ３４０）、該当したレコードの状態フラグに「廃止」を示す情報を設定する（ステップＳ３４５）。遠隔設定システム１０は、さらに、該当レコードから設定情報を読み出し、読み出した設定情報を、新アクセス網の管理テーブルにおいて用いられているデータ構造及び記述形式に応じてデータ形式を変換する（ステップＳ３５０）。遠隔設定システム１０は、ステップＳ３５０においてデータ形式を変換した設定情報を遠隔設定システム２０へ送信する（ステップＳ３５５）。
【００５５】
遠隔設定システム２０は、ステップＳ３０５において取得した回線固有情報をキーにして管理テーブルを検索し（ステップＳ３６０）、該当したレコードに受信した設定情報を格納するとともに（ステップＳ３６５）、当該設定情報を宅内装置５０へ送信する（ステップＳ３７０）。宅内装置５０は、受信した設定情報をメモリに保持し、アクセス網２用のファームウェアはこの設定情報を用いて動作する。
【００５６】
図９及び図１０は、図８のシーケンス図により示される動作の詳細なフローを示す図であり、ステップＳ２０５〜ステップＳ２５０までの動作は、図７と同様である。
図９のステップＳ２５０において、遠隔設定システム２０の宅内装置インタフェース部２５が、宅内装置５０から設定要求を受信すると、データ管理部２４は、受信した設定要求から宅内装置５０の回線固有情報を取得し、当該回線固有情報に対応付けられたサービスユーザ識別子を要求するための検索要求を付加サービス管理システム４０へ送信する（ステップＳ４０５）。回線固有情報は、例えば、送信元として設定されている宅内装置５０のＩＰアドレスのＩＰｖ６プレフィックスである。付加サービス管理システム４０の付加サービスデータ管理部４３は、検索要求に設定されている回線固有情報をキーにして、付加サービスＤＢ４２内の付加サービス管理テーブルを検索し、該当したレコードからサービスユーザ識別子を読み出して遠隔設定システム２０へ返送する。遠隔設定システム２０のデータ管理部２４は、付加サービス管理システム４０からサービスユーザ識別子を受信すると、当該サービスユーザ識別子を設定した回線固有情報要求を遠隔設定システム１０へ通知する（ステップＳ４１０）。
【００５７】
遠隔設定システム１０のデータ管理部１４は、受信したサービスユーザ識別子に対応付けられた回線固有情報を要求するための検索要求を付加サービス管理システム３０へ送信する（ステップＳ４１５）。付加サービス管理システム３０の付加サービスデータ管理部３３は、検索要求に設定されているサービスユーザ識別子をキーにして、付加サービスＤＢ３２内の付加サービス管理テーブルを検索し、該当したレコードから回線固有情報を読み出して遠隔設定システム１０へ返送する（ステップＳ４２０）。遠隔設定システム１０のデータ管理部１４は、受信した回線固有情報をキーにして管理ＤＢ１２内の管理テーブルを検索し、該当したレコードの状態フラグに「廃止」を示す情報を設定する（ステップＳ４２５）。遠隔設定システム１０のデータ管理部１４は、さらに、該当レコードから設定情報を読み出すと、読み出した設定情報を、遠隔設定システム２０の管理ＤＢ２２が保持する管理テーブルのデータ構造及び記述形式に応じてデータ形式を変換する。データ管理部１４は、このデータ形式を変換した設定情報を遠隔設定システム２０へ送信する（ステップＳ４３０）。
【００５８】
図１０において、遠隔設定システム２０のデータ管理部２４は、ステップＳ４０５において取得した回線固有情報をキーにして管理ＤＢ２２内の管理テーブルを検索し（ステップＳ４３５）、該当したレコードにステップＳ４３０において受信した設定情報を格納する（ステップＳ４４０）。遠隔設定システム２０の宅内装置インタフェース部２５は、ステップＳ２５０において受信した設定要求の応答として、宅内装置５０にステップＳ４４０で格納した設定情報を送信する（ステップＳ４４５）。宅内装置５０は、受信した設定情報をメモリに保持し、アクセス網２用のファームウェアはこの設定情報の設定値に基づいて動作する（ステップＳ４５０）。
【００５９】
本実施形態によれば、新旧のアクセス網に存在する宅内装置の遠隔設定システムにおいて、両網の回線識別子の対応付けがされていない場合にも、旧アクセス網において新アクセス網に宅内装置が接続されたことを検知するとともに、旧アクセス網で宅内装置５０に設定されていた情報を、新アクセス網の遠隔設定システム２０に引き継ぎ、新アクセス網に接続された宅内装置５０に、旧アクセス網で使用していた設定を反映させることができる。
【００６０】
［３．第３の実施形態］
本発明の第３の実施形態を説明する。上述した第１の実施形態では、付加サービス管理システム３０は、回線固有情報と対応付けてサービスユーザ識別子を記憶しているが、第３の実施形態では、回線識別子に対応してサービスユーザ識別子を記憶している。
【００６１】
以下、第３の実施形態の処理について、第１の実施形態との差分を説明する。第３の実施形態の情報管理システムの構成、遠隔設定システム１０の管理ＤＢ１２に保持される管理テーブル、遠隔設定システム２０の管理ＤＢ２２に保持される管理テーブルは、第１の実施形態の図１〜図３と同様である。
【００６２】
図１１は、付加サービス管理システム３０の付加サービスＤＢ３２に保持される付加サービス管理テーブルの例を示す図であり、図１２は、付加サービス管理システム４０の付加サービスＤＢ４２に保持される付加サービス管理テーブルの例を示す図である。
旧アクセス網に使用される付加サービス管理テーブル（図１１）、新アクセス網に使用される付加サービス管理テーブル（図１２）とも、回線識別子及びサービスユーザ識別子のカラムから構成されるレコードからなる。ここでは、サービスユーザ識別子として、ＩＰ電話の電話番号を格納している。
旧アクセス網と、新アクセス網とでは、同一の宅内装置５０であっても回線識別子の付与体系が異なるため、旧アクセス網に使用される付加サービス管理テーブル（図１１）と、新アクセス網に使用される付加サービス管理テーブル（図１２）とでは、回線識別子の設定値が異なっているが、ＩＰ電話の電話番号は変更されないため、同一の電話番号が設定される。
【００６３】
図１３は、第３の実施形態による情報管理システムのシーケンス図であり、ステップＳ１０５〜ステップＳ１４５までの動作は、図６と同様である。
遠隔設定システム２０は、ステップＳ１４５において宅内装置５０へ初期設定データを返送した後、ステップＳ１４０において受信した設定要求から宅内装置５０の回線固有情報を取得すると、当該回線固有情報に対応した回線識別子を管理テーブルから読み出して（ステップＳ５０５）、付加サービス管理システム４０へ送信する（ステップＳ５１０）。付加サービス管理システム４０は、受信した回線識別子に対応したサービスユーザ識別子を検索して（ステップＳ５１５）、遠隔設定システム２０へ返送する（ステップＳ５２０）。
【００６４】
遠隔設定システム２０は、受信したサービスユーザ識別子を遠隔設定システム１０へ送信し（ステップＳ５２５）、さらに、遠隔設定システム１０は当該サービスユーザ識別子を付加サービス管理システム３０へ送信する（ステップＳ５３０）。付加サービス管理システム３０は、受信したサービスユーザ識別子に対応した回線識別子を検索して（ステップＳ５３５）、遠隔設定システム１０へ返送する（ステップＳ５４０）。遠隔設定システム１０は、受信した回線識別子をキーにして管理テーブルを検索し（ステップＳ５４５）、該当したレコードの状態フラグに「廃止」を示す情報を設定する（ステップＳ５５０）。
【００６５】
図１４は、図１３のシーケンス図により示される動作の詳細なフローを示す図であり、ステップＳ２０５〜ステップＳ２５０までの動作は、図７と同様である。
ステップＳ２５０において、遠隔設定システム２０の宅内装置インタフェース部２５が、宅内装置５０から設定要求を受信すると、管理ＤＢ２２に保持していた初期設定データを読み出して返送する。宅内装置５０は、受信した初期設定データをメモリに保持し、アクセス網２用のファームウェアはこの初期設定データを用いて動作する。さらに、データ管理部２４は、ステップＳ２５０において受信した設定要求から宅内装置５０の回線固有情報を取得し、取得した回線固有情報により管理ＤＢ２２内の管理テーブルを検索して、該当したレコードから回線識別子を読み出す（ステップＳ６０５）。データ管理部２４は、読み出した回線識別子に対応付けられたサービスユーザ識別子を要求するための検索要求を付加サービス管理システム４０へ送信する（ステップＳ６１０）。
【００６６】
付加サービス管理システム４０の付加サービスデータ管理部４３は、検索要求に設定されている回線識別子をキーにして、付加サービスＤＢ４２内の付加サービス管理テーブルを検索し、該当したレコードからサービスユーザ識別子を読み出して遠隔設定システム２０へ返送する。遠隔設定システム２０のデータ管理部２４は、付加サービス管理システム４０からサービスユーザ識別子を受信すると、当該サービスユーザ識別子を遠隔設定システム１０へ通知する（ステップＳ６１５）。
【００６７】
遠隔設定システム１０のデータ管理部１４は、受信したサービスユーザ識別子に対応付けられた回線識別子を要求するための検索要求を付加サービス管理システム３０へ送信する（ステップＳ６２０）。付加サービス管理システム３０の付加サービスデータ管理部３３は、検索要求に設定されているサービスユーザ識別子をキーにして、付加サービスＤＢ３２内の付加サービス管理テーブルを検索し、該当したレコードから回線識別子を読み出して遠隔設定システム１０へ返送する（ステップＳ６２５）。遠隔設定システム１０のデータ管理部１４は、受信した回線識別子をキーにして管理ＤＢ１２内の管理テーブルを検索し、該当したレコードの状態フラグに「廃止」を示す情報を設定する（ステップＳ６３０）。
【００６８】
上記のように、本実施形態では、旧アクセス網の遠隔設定システムに指定された旧アクセス網の回線の宅内装置に対して、新アクセス網用のファームウェアをダウンロードし、新アクセス網の遠隔設定システムにおいて、宅内装置が接続された回線の回線識別子から、新旧両方のアクセス網に共通の付加サービスのサービスユーザ識別子を取得し、旧アクセス網の遠隔設定システムに送信する。そして、旧アクセス網において、新アクセス網から受信したサービスユーザ識別子に対応付けられた回線識別子を取得し、この回線識別子により特定される移行前の回線を無効化する。
【００６９】
［４．第４の実施形態］
本発明の第４の実施形態を説明する。上述した第３の実施形態では、遠隔設定システム２０は、新アクセス網に接続された宅内装置５０から設定要求を受信したときに、初期設定データを返送しているが、第４の実施形態では、旧アクセス網において使用していた設定情報を返送する。
【００７０】
以下、第４の実施形態の処理について、第１、第３の実施形態との差分を説明する。第４の実施形態の情報管理システムの構成、遠隔設定システム１０の管理ＤＢ１２に保持される管理テーブル、遠隔設定システム２０の管理ＤＢ２２に保持される管理テーブルは、第１の実施形態の図１〜図３と同様であり、付加サービス管理システム３０の付加サービスＤＢ３２に保持される付加サービス管理テーブル、付加サービス管理システム４０の付加サービスＤＢ４２に保持される付加サービス管理テーブルは、第３の実施形態の図１１〜図１２と同様である。
【００７１】
図１５は、第４の実施形態による情報管理システムのシーケンス図であり、ステップＳ１０５〜ステップＳ１４０までの動作は、図６と同様である。
遠隔設定システム２０は、ステップＳ１４０において宅内装置５０から設定要求を受信すると、当該設定要求から宅内装置５０の回線固有情報を取得し、取得した回線固有情報に対応した管理テーブルのレコードから回線識別子を読み出して（ステップＳ７０５）、付加サービス管理システム４０へ送信する（ステップＳ７１０）。付加サービス管理システム４０は、受信した回線識別子に対応したサービスユーザ識別子を検索して（ステップＳ７１５）、遠隔設定システム２０へ返送する（ステップＳ７２０）。
【００７２】
遠隔設定システム２０は、受信したサービスユーザ識別子を遠隔設定システム１０へ送信し（ステップＳ７２５）、さらに、遠隔設定システム１０は当該サービスユーザ識別子を付加サービス管理システム３０へ送信する（ステップＳ７３０）。付加サービス管理システム３０は、受信したサービスユーザ識別子に対応した回線識別子を検索して（ステップＳ７３５）、遠隔設定システム１０へ返送する（ステップＳ７４０）。遠隔設定システム１０は、受信した回線識別子をキーにして管理テーブルを検索し（ステップＳ７４５）、該当したレコードの状態フラグに「廃止」を示す情報を設定する（ステップＳ７５０）。遠隔設定システム１０は、さらに、該当レコードから設定情報を読み出し、読み出した設定情報を、新アクセス網の管理テーブルにおいて用いられているデータ構造及び記述形式に応じてデータ形式を変換する（ステップＳ７５５）。遠隔設定システム１０は、データ形式を変換した設定情報を遠隔設定システム２０へ送信する（ステップＳ７６０）。遠隔設定システム２０は、Ｓ７０５で特定した管理テーブルのレコードに設定情報を格納するとともに（ステップＳ７６５）、当該設定情報を宅内装置５０へ送信する（ステップＳ７７０）。
【００７３】
図１６及び図１７は、図１５のシーケンス図により示される動作の詳細なフローを示す図であり、ステップＳ２０５〜ステップＳ２５０までの動作は、図７と同様である。
図１６のステップＳ２５０において、遠隔設定システム２０の宅内装置インタフェース部２５が、宅内装置５０から設定要求を受信すると、データ管理部２４は、受信した設定要求から宅内装置５０の回線固有情報を取得する。データ管理部２４は、取得した回線固有情報により管理ＤＢ１２内の管理テーブルを検索し、該当したレコードから回線識別子を読み出す（ステップＳ８０５）。データ管理部２４は、読み出した回線識別子に対応付けられたサービスユーザ識別子を要求するための検索要求を付加サービス管理システム４０へ送信する（ステップＳ８１０）。
【００７４】
付加サービス管理システム４０の付加サービスデータ管理部４３は、検索要求に設定されている回線識別子をキーにして、付加サービスＤＢ４２内の付加サービス管理テーブルを検索し、該当したレコードからサービスユーザ識別子を読み出して遠隔設定システム２０へ返送する。遠隔設定システム２０のデータ管理部２４は、付加サービス管理システム４０からサービスユーザ識別子を受信すると、当該サービスユーザ識別子を遠隔設定システム１０へ通知する（ステップＳ８１５）。
【００７５】
遠隔設定システム１０のデータ管理部１４は、受信したサービスユーザ識別子に対応付けられた回線識別子を要求するための検索要求を付加サービス管理システム３０へ送信する（ステップＳ８２０）。付加サービス管理システム３０の付加サービスデータ管理部３３は、検索要求に設定されているサービスユーザ識別子をキーにして、付加サービスＤＢ３２内の付加サービス管理テーブルを検索し、該当したレコードから回線識別子を読み出して遠隔設定システム１０へ返送する（ステップＳ８２５）。遠隔設定システム１０のデータ管理部１４は、受信した回線識別子をキーにして管理ＤＢ１２内の管理テーブルを検索し、該当したレコードの状態フラグに「廃止」を示す情報を設定する（ステップＳ８３０）。さらに、データ管理部１４は、該当レコードから設定情報を読み出すと、読み出した設定情報を、遠隔設定システム２０の管理ＤＢ２２が保持する管理テーブルのデータ構造及び記述形式に応じてデータ形式を変換する。データ管理部１４は、このデータ形式を変換した設定情報を遠隔設定システム２０へ送信する（ステップＳ８３５）。
【００７６】
図１７において、遠隔設定システム２０のデータ管理部２４は、ステップＳ８０５において特定した管理テーブルのレコードに、ステップＳ８３０において受信した、旧アクセス網と同じ内容を示す設定情報を格納する（ステップＳ８４０）。遠隔設定システム２０の宅内装置インタフェース部２５は、ステップＳ２５０において受信した設定要求の応答として、宅内装置５０にステップＳ８４０で格納した設定情報を送信する（ステップＳ８４５）。宅内装置５０は、受信した設定情報をメモリに保持し、アクセス網２用のファームウェアはこの設定情報の設定値に基づいて動作する（ステップＳ８５０）。
【００７７】
本実施形態によれば、新旧のアクセス網に存在する宅内装置の遠隔設定システムにおいて、両網の回線識別子の対応付けがされていない場合にも、旧アクセス網において新アクセス網に宅内装置が接続されたことを検知するとともに、旧アクセス網で宅内装置５０に設定されていた情報を、新アクセス網の遠隔設定システム２０に引き継ぎ、新アクセス網に接続された宅内装置５０に、旧アクセス網で使用していた設定を反映させることができる。
【００７８】
［５．実施例］
次に、本発明の具体的な実施例について図１８〜図２２を用いて説明する。
電気通信事業者は、旧アクセス網により、ユーザに対してアクセスライン提供サービスに加え、付加サービスとしてＩＰ電話サービスを提供している。電気通信事業者は、旧アクセス網の老朽化および、採用技術の陳腐化に伴い、新設備、新プロトコルを用いた新アクセス網を構築し、旧アクセス網は特定の時期までに旧アクセス網のサービスを終了するため、旧アクセス網のユーザを、新アクセス網に事業者側の都合で移行させる。
【００７９】
旧アクセス網においては、アクセスライン提供サービスに加え、付加サービスとしてＩＰ電話サービスを提供している。ユーザは、ブロードバンドルータ兼、ＶｏＩＰアダプタである宅内装置５０の配下に、パーソナルコンピュータ（図示せず）やＩＰ電話機５１を接続することによりこれらのサービスを享受する。ＩＰ電話サービスでは、回線ごとに一意の電話番号が付与されている。そして、移行後の新アクセス網においても、アクセスライン提供サービスとＩＰ電話サービスを提供し、移行後もその電話番号は変更とならない。
【００８０】
旧アクセス網のシステムは、アクセス網１に接続される遠隔設定システム１０、付加サービス管理システム３０としてのＩＰ電話番号管理サーバ３０ａ、宅内装置５０で構成され、新アクセス網のシステムは、アクセス網２に接続される遠隔設定システム２０、付加サービス管理システム４０としてのＩＰ電話番号管理サーバ４０ａ、宅内装置５０で構成される。なお、新アクセス網の遠隔設定システム１０と旧アクセス網の遠隔設定システム２０は、ＩＳＤＮ専用線により接続されておりＴＣＰ／ＩＰｖ６プロトコルスタックで通信可能である。
【００８１】
新アクセス網の遠隔設定システム２０は、旧アクセス網の遠隔設定システム１０と同じ項目、すなわち、回線ＩＤ、回線固有情報としてのＩＰｖ６プレフィックス、状態フラグ、設定情報の項目を関連付けた管理テーブルを持つ。しかし、新アクセス網と旧アクセス網とでは、回線に付与された論理的な識別子である回線ＩＤのＩＤ体系が異なる。また、回線固有情報として使用するＩＰｖ６プレフィックスの長さは、旧アクセス網が３２ビットであるのに対し新アクセス網では４８ビットとなっている。さらに、宅内装置５０の設定情報である、ＤＨＣＰサーバ機能のＯＮ／ＯＦＦの情報は、旧アクセス網ではテキストにより表現していたのに対し、新アクセス網ではboolean属性の値（１／０）により表現している。
【００８２】
ＩＰ電話番号管理サーバ３０ａ、４０ａは、回線ごとのＩＰ電話番号を付加サービス管理テーブルとして格納しているが、旧アクセス網のＩＰ電話番号管理サーバ３０ａは、ＩＰｖ６プレフィックス（回線固有情報）とＩＰ電話番号とを対応付けて格納しており、新アクセス網のＩＰ電話番号管理サーバ４０ａは、回線ＩＤとＩＰ電話番号とを対応付けて格納している。
【００８３】
宅内装置５０は、遠隔設定システム１０（網移行後は遠隔設定システム２０）に定期的に新ファームウェアが存在しないか確認し、存在する場合はダウンロードし不揮発性メモリ内に一時保存する。新ファームウェアは宅内装置５０の再起動後に工場出荷状態で有効となる。工場出荷状態のファームウェアは、網に接続されＤＨＣＰによりＩＰアドレスを取得すると、当該ＩＰアドレスにより特定される新アクセス網の遠隔設定システム２０に初期設定情報を要求する。
【００８４】
今、あるユーザの回線を、旧アクセス網（アクセス網１）から新アクセス網（アクセス網２）へ移行させるとする。旧アクセス網の移行対象回線は、回線ＩＤ「L0002」、ＩＰｖ６プレフィックス「fd81:0002::/32」を持つ回線であり、遠隔設定システム１０の管理ＤＢ１２が保持する管理テーブルのレコードには、回線ＩＤ「L0002」、ＩＰｖ６プレフィックス「fd81:0002::/32」、現在利用中であることを示す状態フラグ「有効」、ＤＨＣＰサーバ機能「ＯＮ」が設定されている。
さらに、ＩＰ電話番号管理サーバ３０ａの付加サービスＤＢ３２が保持する付加サービス管理テーブルには、ＩＰｖ６プレフィックス「fd81:0002」、ＩＰ電話番号「050-XXX-XXX」が設定されている。
【００８５】
図１８において、新アクセス網の遠隔設定システム２０に、フロント業務を行う新アクセス網の上位システムから、回線ＩＤ「N01-23」の回線をＩＰｖ６プレフィックス「3ffe:1234:0000::/48」で新規作成することが通知される（ステップＳ１００５）。
遠隔設定システム２０のサービスオーダ受付部２３が上位システムからの通知を受信すると、データ管理部２４は、管理ＤＢ２２内の管理テーブルに新たなレコードを追加し、この追加したレコードに、受信した回線ＩＤ「N01-23」、ＩＰｖ６プレフィックス「3ffe:1234:0000::/48」を格納するとともに、状態フラグに「有効」を、設定情報にＤＨＣＰサーバ機能のデフォルト値を格納する。ここでは、ＤＨＣＰサーバ機能のデフォルト値は、ＯＦＦを示す「0」であるとする（ステップＳ１０１０）。
【００８６】
一方、付加サービス管理システム４０の付加サービスデータ管理部４３は、上記の回線に関するデータ登録要求の入力を受け、付加サービスＤＢ４２内の付加サービス管理テーブルに、入力されたデータ登録要求に設定されている回線ＩＤ「N01-23」、及び、ＩＰ電話番号「050-xxx-xxx」を格納したレコードを追加する。
【００８７】
図１９において、新アクセス網の遠隔設定システム１０に、新アクセス網の上位システムから、回線ＩＤ「L0002」の回線を新アクセス網に移行することが通知される（ステップＳ１１０５）。
遠隔設定システム１０のサービスオーダ受付部１３が上位システムからの通知を受信すると、データ管理部１４は、管理ＤＢ１２内の管理テーブルを、通知された回線ＩＤ「L0002」をキーにして検索し、該当したレコードの状態フラグを「有効」から「NW移転」に変更する（ステップＳ１１１０）。
【００８８】
図２０において、アクセス網１に接続されている回線ＩＤ「L0002」の宅内装置５０は、定期的に遠隔設定システム１０に最新ファームウェアの有無を問い合わせている（ステップＳ１２０５）。
遠隔設定システム１０の宅内装置インタフェース部１５が、宅内装置５０からの問合せを受信すると、データ管理部１４は、当該問合せの送信元アドレスとして設定されているＩＰｖ６アドレスを取得し、この取得したＩＰｖ６アドレスからＩＰｖ６プレフィックス「fd81:0002::/32」を取得する。データ管理部１４は、当該ＩＰｖ６プレフィックスをキーにして、管理ＤＢ１２内の管理テーブルを検索し、該当レコードを特定する（ステップＳ１２１０）。
ステップＳ１２１０において特定した該当レコードの状態フラグが「NW移転」状態を示しているため（ステップＳ１２１５）、宅内装置インタフェース部１５は、ステップＳ１２１０において受信した問合せに対して、「新ファームウェア有」と応答し、アクセス網２用のファームウェアを宅内装置５０へダウンロードする。
宅内装置５０は、ダウンロードしたファームウェアを一時格納用の不揮発性メモリに格納する（ステップＳ１２２０）。宅内装置５０は、再起動を行なうまでは、アクセス網１用のファームにより動作し、アクセス網１との接続を継続する。
【００８９】
図２１において、アクセス網１との回線「L0002」が収容されているエッジルータから当該回線を取り外し、アクセス網２のエッジルータの所定のインタフェースに接続する（ステップＳ１３０５）。その後、宅内装置５０再起動し、アクセス網２用のファームウェアを有効にする（ステップＳ１３１０）。
これにより宅内装置５０は、工場出荷状態でアクセス網２に接続したため、遠隔設定システム２０に初期設定情報を要求する（ステップＳ１３１５）。
【００９０】
遠隔設定システム２０の宅内装置インタフェース部２５が初期設定情報の要求を受信すると、データ管理部２４は、初期設定情報の要求を受信したパケットから、要求の送信元ＩＰｖ６アドレスを取得し、アクセス網２におけるプレフィックス長から上位４８ビットを、回線固有情報を示すＩＰｖ６プレフィックスとして抽出する。データ管理部２４は、抽出したＩＰｖ６プレフィックス「3ffe:1234::」をキーにして、管理ＤＢ２２が保持している管理テーブルを検索し、該当したレコードから回線ＩＤ「N01-23」を取得する（ステップＳ１３２０）。
【００９１】
遠隔設定システム２０のデータ管理部２４は、アクセス網２内のＩＰ電話番号管理サーバ４０ａに対して、取得した回線ＩＤ「N01-23」を通知し、当該識別子に対応づけられたＩＰ電話番号を要求する。ＩＰ電話番号管理サーバ４０ａの付加サービスデータ管理部４３は、付加サービスＤＢ４２内の付加サービス管理テーブルを、受信した回線ＩＤ「N01-23」をキーにして検索し、当該レコードからＩＰ電話番号「050-xxx-xxx」を取得して遠隔設定システム２０に送信する（ステップＳ１３２５）。
遠隔設定システム２０のデータ管理部２４は、ステップＳ１３２５において取得したＩＰ電話番号「050-xxx-xxx」を、遠隔設定システム１０に送信する（ステップＳ１３３０）。
【００９２】
図２２において、旧アクセス網の遠隔設定システム１０は、遠隔設定システム２０から受信したＩＰ電話番号「050-xxx-xxx」を、ＩＰ電話番号管理サーバ３０ａに送信し、当該電話番号に対応付けられたＩＰｖ６プレフィックスを要求する。ＩＰ電話番号管理サーバ３０ａの付加サービスデータ管理部３３は、付加サービスＤＢ３２内の付加サービス管理テーブルを、受信したＩＰ電話番号「050-xxx-xxx」をキーにして検索し、該当したレコードからＩＰｖ６プレフィックス「fd81:0002::」を取得して遠隔設定システム１０に送信する（ステップＳ１４０５）。
【００９３】
遠隔設定システム１０のデータ管理部１４は、ステップＳ１４０５において取得したＩＰｖ６プレフィックスをキーに、管理ＤＢ１２内の管理テーブルを検索し、該当したレコードの状態フラグを「NW移転」状態から「廃止」状態に変更するとともに、該当レコードからＤＨＣＰサーバ機能の設定値「ON」を取得する（ステップＳ１４１０）。
遠隔設定システム１０のデータ管理部１４は、ステップＳ１４１０において取得したＤＨＣＰサーバ機能の設定値「ON」を、遠隔設定システム２０で保持している管理テーブルのデータ構造に合わせて、文字列「ON」からboolean値「１」に変換する（ステップＳ１４１５）。
遠隔設定システム１０のデータ管理部１４は、ステップＳ１４１５において変換したＤＨＣＰサーバ機能の設定値「１」をＩＰ電話番号「050-xxx-xxx」に対応付けて遠隔設定システム２０に送信する（ステップＳ１４２０）。
【００９４】
遠隔設定システム２０のデータ管理部２４は、ＩＰ電話番号「050-xxx-xxx」を読み出したときに用いた回線ＩＤ「N01-23」をキーにして管理ＤＢ２２内の管理テーブルを検索し、受信した電話番号に対応付けられた回線ＩＤを持つレコードを特定する。データ管理部２４は、該当レコードのＤＨＣＰサーバ機能を、ステップＳ１４２０において受信した設定値「１」に変更する（ステップＳ１４２５）。
遠隔設定システム２０の宅内装置インタフェース部２５は、宅内装置５０へステップＳ１４２５において格納した設定値「１」を送信し、宅内装置５０に設定を反映させる（ステップＳ１４３０）。
以後、ユーザはアクセス網２に接続し、アクセス網１と同様のアクセス網提供サービスを享受することができる。
【００９５】
本実施例においては、新アクセス網側に第３の実施形態を、旧アクセス網側に第１の実施形態を用いた例を示しているが、新アクセス網側に第１の実施形態を、旧アクセス網側に第３の実施形態を用いるようにしてもよい。また、新アクセス網側に第１の実施形態、旧アクセス網側に第３の実施形態を、あるいは、新アクセス網側に第３の実施形態、旧アクセス網側に第１の実施形態を用いるようにしてもよい。
【００９６】
なお、上述の遠隔設定システム１０、遠隔設定システム２０、付加サービス管理システム３０（ＩＰ電話番号管理サーバ３０ａ）、付加サービス管理システム４０（ＩＰ電話番号管理サーバ４０ａ）、及び、宅内装置５０は、内部にコンピュータシステムを有している。そして、遠隔設定システム１０の管理ＤＢ１２、宅内装置インタフェース部１５、データ管理部１４及びサービスオーダ受付部１３、遠隔設定システム２０の管理ＤＢ２２、宅内装置インタフェース部２５、データ管理部２４及びサービスオーダ受付部２３、付加サービス管理システム３０（ＩＰ電話番号管理サーバ３０ａ）の付加サービスＤＢ３２及び付加サービスデータ管理部３３、付加サービス管理システム４０（ＩＰ電話番号管理サーバ４０ａ）の付加サービスＤＢ４２及び付加サービスデータ管理部４３、ならびに、宅内装置５０の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００９７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００９８】
【図１】本発明の第１の実施形態による情報管理システムの構成と周辺装置の接続図である。
【図２】第１の実施形態による遠隔設定システム１０の管理ＤＢ１２に保持される管理テーブルの例を示す図である。
【図３】第１の実施形態による遠隔設定システム２０の管理ＤＢ２２に保持される管理テーブルの例を示す図である。
【図４】第１の実施形態による付加サービス管理システム３０の付加サービスＤＢ３２に保持される付加サービス管理テーブルの例を示す図である。
【図５】第１の実施形態による付加サービス管理システム４０の付加サービスＤＢ４２に保持される付加サービス管理テーブルの例を示す図である。
【図６】第１の実施形態による情報管理システムのシーケンス図である。
【図７】第１の実施形態による情報管理システムの動作フローを示す図である。
【図８】本発明の第２の実施形態による情報管理システムのシーケンス図である。
【図９】第２の実施形態による情報管理システムの動作フローを示す図である。
【図１０】第２の実施形態による情報管理システムの動作フローを示す図である。
【図１１】本発明の第３の実施形態による付加サービス管理システム３０の付加サービスＤＢ３２に保持される付加サービス管理テーブルの例を示す図である。
【図１２】第３の実施形態による付加サービス管理システム４０の付加サービスＤＢ４２に保持される付加サービス管理テーブルの例を示す図である。
【図１３】本発明の第３の実施形態による情報管理システムのシーケンス図である。
【図１４】第３の実施形態による情報管理システムの動作フローを示す図である。
【図１５】本発明の第４の実施形態による情報管理システムのシーケンス図である。
【図１６】第４の実施形態による情報管理システムの動作フローを示す図である。
【図１７】第４の実施形態による情報管理システムの動作フローを示す図である。
【図１８】情報管理システムの実施例を示す図である。
【図１９】情報管理システムの実施例を示す図である。
【図２０】情報管理システムの実施例を示す図である。
【図２１】情報管理システムの実施例を示す図である。
【図２２】情報管理システムの実施例を示す図である。
【図２３】従来の網移行について説明するための図である。
【符号の説明】
【００９９】
１…アクセス網（第１のネットワーク）
２…アクセス網（第２のネットワーク）
１０…遠隔設定システム（第１のユーザ管理装置）
１１…通信部
１２…管理ＤＢ（第１の管理情報記憶手段）
１３…サービスオーダ受付部
１４…データ管理部（回線特定情報読出手段、回線廃止手段、移行中状態書込手段）
１５…宅内装置インタフェース部（配信手段）
２０…遠隔設定システム（第２のユーザ管理装置）
２１…通信部
２２…管理ＤＢ（第２の管理情報記憶手段）
２３…サービスオーダ受付部
２４…データ管理部（サービスユーザ識別読出手段、通知手段、設定情報引継手段）
２５…宅内装置インタフェース部（設定情報配信手段）
３０…付加サービス管理システム（第１の付加サービス管理装置）
３１…通信部
３２…付加サービスＤＢ
３３…付加サービスデータ管理部
４０…付加サービス管理システム（第２の付加サービス管理装置）
４１…通信部
４２…付加サービスＤＢ
４３…付加サービスデータ管理部
【図１】
2010010840.tif 000003
【図２】
2010010840.tif 000004
【図３】
2010010840.tif 000005
【図４】
2010010840.tif 000006
【図５】
2010010840.tif 000007
【図６】
2010010840.tif 000008
【図７】
2010010840.tif 000009
【図８】
2010010840.tif 000010
【図９】
2010010840.tif 000011
【図１０】
2010010840.tif 000012
【図１１】
2010010840.tif 000013
【図１２】
2010010840.tif 000014
【図１３】
2010010840.tif 000015
【図１４】
2010010840.tif 000016
【図１５】
2010010840.tif 000017
【図１６】
2010010840.tif 000018
【図１７】
2010010840.tif 000019
【図１８】
2010010840.tif 000020
【図１９】
2010010840.tif 000021
【図２０】
2010010840.tif 000022
【図２１】
2010010840.tif 000023
【図２２】
2010010840.tif 000024
【図２３】
2010010840.tif 000025